【手続補正書】
【提出日】令和2年10月22日(2020.10.22)
【手続補正１】
【補正対象書類名】明細書
【補正対象項目名】０１０１
【補正方法】変更
【補正の内容】
【０１０１】
実施例５
図８は、本開示の各実施例を実装する端末のハードウェア構成概略図である。端末１０００は、ＲＦ（Ｒａｄｉｏ  Ｆｒｅｑｕｅｎｃｙ：無線周波数）部１０１や、ネットワークモジュール１０２、音声出力部１０３、入力部１０４、センサ１０５、表示部１０６、ユーザ入力部１０７、インタフェース部１０８、メモリ１０９、プロセッサ１１０、電源１１１などの構成要素を含むが、これらに限定されない。図８に示される端末１０００の構成が端末を限定するものではなく、端末１０００が図示よりも多いか又は少ない構成要素を含むか、又はいくつかの構成要素を組み合わせるか、又は異なる構成要素の配置をなすことを当業者が理解するであろう。本開示の実施例では、端末１０００は、ハンドセットや、タブレット、ノート型パソコン、パームトップ型コンピュータ、車両搭載端末、ウェアラブル機器、歩数計などを含むが、これらに限定されない。
ここで、プロセッサ１１０は、端末がＤＲＸモードにある場合、第１の情報に基づいて、インアクティブ期間にある端末がＣＳＩ報告を行うか否かを決定する。ここで、第１情報は、インアクティブ期間にある端末によるＣＳＩ報告時のＣＳＩ報告の許容、又は、インアクティブ期間にある端末によるＣＳＩ報告時のＰＵＳＣＨを介して報告される半永続的又は非周期的なＣＳＩ報告の禁止を指示する。
【手続補正２】
【補正対象書類名】明細書
【補正対象項目名】０１２３
【補正方法】削除
【補正の内容】
【手続補正３】
【補正対象書類名】特許請求の範囲
【補正対象項目名】全文
【補正方法】変更
【補正の内容】
【特許請求の範囲】
【請求項１】
端末に適用する情報報告方法であって、
前記端末が間欠受信ＤＲＸモードにある場合、第１の情報に基づいて、インアクティブ期間にある前記端末がチャネル状態情報ＣＳＩ報告を行うか否かを決定することを含み、
前記第１の情報は、インアクティブ期間にある前記端末によるチャネル状態情報ＣＳＩ報告時の前記チャネル状態情報ＣＳＩ報告の許容、又は、インアクティブ期間にある前記端末によるチャネル状態情報ＣＳＩ報告時の物理上り共有チャネルＰＵＳＣＨを介して報告される半永続的又は非周期的なチャネル状態情報ＣＳＩ報告の禁止を指示する情報報告方法。
【請求項２】
前記第１の情報は、インアクティブ期間にある前記端末がＣＳＩ報告時に、物理上りリンク制御チャネルＰＵＣＣＨを介して報告される周期的なＣＳＩ報告、ＰＵＣＣＨを介して報告される半永続的なＣＳＩ報告、ＰＵＳＣＨを介して報告される半永続的なＣＳＩ報告、ＰＵＳＣＨを介して報告される非周期的なＣＳＩ報告のうち、少なくとも１つを報告することを許容するよう指示する、請求項１に記載の情報報告方法。
【請求項３】
前記第１の情報に基づいて、インアクティブ期間にある前記端末がＣＳＩ報告を行うか否かを決定することの前に、
第１のＣＳＩ報告、及び前記第１のＣＳＩ報告の前回のＣＳＩ報告である第２のＣＳＩ報告を取得することをさらに含み、
前記第１の情報に基づいて、インアクティブ期間にある前記端末がＣＳＩ報告を行うか否かを決定することは、
前記第１の情報が、インアクティブ期間にある前記端末によるＣＳＩ報告時のＣＳＩ報告の許容を指示する場合、前記第１のＣＳＩ報告及び前記第２のＣＳＩ報告に基づいて、インアクティブ期間にある前記端末が前記第１のＣＳＩ報告の一部又は全部を報告するか否かを決定することを含む、請求項１に記載の情報報告方法。
【請求項４】
前記第１のＣＳＩ報告は、少なくとも１つの第１のリソースインデックスを含み、前記第２のＣＳＩ報告は、少なくとも１つの第２のリソースインデックスを含み、前記第１のリソースインデックス及び前記第２のリソースインデックスはそれぞれ、チャネル状態情報参照信号リソースインデックス又は同期信号ブロックインデックスを含み、
前記第１のＣＳＩ報告及び前記第２のＣＳＩ報告に基づいて、インアクティブ期間にある前記端末が前記第１のＣＳＩ報告の一部又は全部を報告するか否かを決定することは、
前記少なくとも１つの第１のリソースインデックスが前記少なくとも１つの第２のリソースインデックスと異なる場合、インアクティブ期間にある前記端末が前記第１のＣＳＩ報告の一部又は全部を報告すると決定することを含む、請求項３に記載の情報報告方法。
【請求項５】
前記第１のＣＳＩ報告は、少なくとも１つの第１のリソースインデックス及び各第１のリソースインデックスに対応する第１の参照信号受信電力ＲＳＲＰを含み、前記第２のＣＳＩ報告は、少なくとも１つの第２のリソースインデックス及び各第２のリソースインデックスに対応する第２のＲＳＲＰを含み、前記第１のリソースインデックス及び前記第２のリソースインデックスはそれぞれ、チャネル状態情報参照信号リソースインデックス又は同期信号ブロックインデックスを含み、
前記第１のＣＳＩ報告及び前記第２のＣＳＩ報告に基づいて、インアクティブ期間にある前記端末が前記第１のＣＳＩ報告の一部又は全部を報告するか否かを決定することは、
前記少なくとも１つの第１のリソースインデックスが前記少なくとも１つの第２のリソースインデックスと同じであり、かついずれかの第１のリソースインデックスに対応する第１のＲＳＲＰと、前記いずれかの第１のリソースインデックスと同じである第２のリソースインデックスに対応する第２のＲＳＲＰとの間の差分値が所定閾値以上である場合、インアクティブ期間にある前記端末が前記第１のＣＳＩ報告の一部又は全部を報告すると決定することを含む、請求項３に記載の情報報告方法。
【請求項６】
第２の情報に基づいて、アクティブ期間にある前記端末のみが第１のイベントを行うと決定することをさらに含み、前記第２の情報は、アクティブ期間にある前記端末のみが、ビーム測定及び／又はＣＳＩ測定を含む前記第１のイベントを行うよう指示する、請求項１に記載の情報報告方法。
【請求項７】
前記第２の情報は、予め定義され、又は、
前記第２の情報に基づいて、アクティブ期間にある前記端末のみが第１のイベントを行うと決定することの前に、ネットワーク機器から送信される前記第２の情報を受信することをさらに含む、請求項６に記載の情報報告方法。
【請求項８】
前記第２の情報は、
前記端末が第１のイベントを行う際に使用したＣＳＩ参照リソースがアクティブ期間にある条件１と、
前記端末が前記ＣＳＩ参照リソースより遅れずに第１の参照信号を少なくとも一回受信する条件２とのうち、少なくとも１つの条件によって指示され、
前記第１の参照信号は、チャネル測定用のチャネル状態情報参照信号ＣＳＩ−ＲＳ、干渉測定用のＣＳＩ−ＲＳ、干渉測定用のＣＳＩ−ＩＭ、参照信号受信電力ＲＳＲＰ測定用のＣＳＩ−ＲＳ又は同期信号ブロックＳＳＢのうち、少なくとも１つを含み、前記第１の参照信号は、アクティブ期間にある、請求項６に記載の情報報告方法。
【請求項９】
ネットワーク機器に適用する情報報告方法であって、
端末が間欠受信ＤＲＸモードにある場合、第１の情報を前記端末へ送信することを含み、
前記第１の情報は、前記第１の情報に基づいてインアクティブ期間にある前記端末がチャネル状態情報ＣＳＩ報告を行うか否かを決定するよう前記端末に指示し、前記第１の情報は、インアクティブ期間にある前記端末によるチャネル状態情報ＣＳＩ報告時の前記チャネル状態情報ＣＳＩ報告の許容、又は、インアクティブ期間にある前記端末によるチャネル状態情報ＣＳＩ報告時の物理上り共有チャネルＰＵＳＣＨを介して報告される半永続的又は非周期的なチャネル状態情報ＣＳＩ報告の禁止を指示する情報報告方法。
【請求項１０】
第２の情報を前記端末へ送信することをさらに含み、
前記第２の情報は、前記第２の情報に基づいてアクティブ期間にある前記端末のみが第１のイベントを行うと決定するよう前記端末に指示し、前記第１の情報は、アクティブ期間にある前記端末のみが、ビーム測定及び／又はＣＳＩ測定を含む前記第１のイベントを行うよう指示する、請求項９に記載の情報報告方法。
【請求項１１】
前記第２の情報は、
前記端末が前記第１のイベントを行う際に使用したＣＳＩ参照リソースがアクティブ期間にある条件１と、
前記ネットワーク機器が前記ＣＳＩ参照リソースより遅れずに第１の参照信号を少なくとも一回送信する条件２とのうち、少なくとも１つの条件によって指示され、
前記第１の参照信号は、チャネル測定用のチャネル状態情報参照信号ＣＳＩ−ＲＳ、干渉測定用のＣＳＩ−ＲＳ、干渉測定用のＣＳＩ−ＩＭ、参照信号受信電力ＲＳＲＰ測定用のＣＳＩ−ＲＳ又は同期信号ブロックＳＳＢのうち、少なくとも１つを含み、前記第１の参照信号は、アクティブ期間にある、請求項１０に記載の情報報告方法。
【請求項１２】
端末であって、
前記端末が間欠受信ＤＲＸモードにある場合、第１の情報に基づいて、インアクティブ期間にある前記端末がチャネル状態情報ＣＳＩ報告を行うか否かを決定するための決定モジュールを含み、
前記第１の情報は、インアクティブ期間にある前記端末によるチャネル状態情報ＣＳＩ報告時の前記チャネル状態情報ＣＳＩ報告の許容、又は、インアクティブ期間にある前記端末によるチャネル状態情報ＣＳＩ報告時の物理上り共有チャネルＰＵＳＣＨを介して報告される半永続的又は非周期的なチャネル状態情報ＣＳＩ報告の禁止を指示する、端末。
【請求項１３】
前記決定モジュールは、第２の情報に基づいて、アクティブ期間にある前記端末のみが第１のイベントを行うと決定することにさらに用いられ、前記第２の情報は、アクティブ期間にある前記端末のみが、ビーム測定及び／又はＣＳＩ測定を含む前記第１のイベントを行うよう指示する、請求項１２に記載の端末。
【請求項１４】
前記第２の情報は、
前記端末が第１のイベントを行う際に使用したＣＳＩ参照リソースがアクティブ期間にある条件１と、
前記端末が前記ＣＳＩ参照リソースより遅れずに第１の参照信号を少なくとも一回受信する条件２とのうち、少なくとも１つの条件によって指示され、
前記第１の参照信号は、チャネル測定用のチャネル状態情報参照信号ＣＳＩ−ＲＳ、干渉測定用のＣＳＩ−ＲＳ、干渉測定用のＣＳＩ−ＩＭ、参照信号受信電力ＲＳＲＰ測定用のＣＳＩ−ＲＳ又は同期信号ブロックＳＳＢのうち、少なくとも１つを含み、前記第１の参照信号は、アクティブ期間にある、請求項１３に記載の端末。
【請求項１５】
ネットワーク機器であって、
端末が間欠受信ＤＲＸモードにある場合、第１の情報を端末へ送信するための送信モジュールを含み、
前記第１の情報は、前記第１の情報に基づいてインアクティブ期間にある前記端末がチャネル状態情報ＣＳＩ報告を行うか否かを決定するよう前記端末に指示し、前記第１の情報は、インアクティブ期間にある前記端末によるチャネル状態情報ＣＳＩ報告時の前記チャネル状態情報ＣＳＩ報告の許容、又は、インアクティブ期間にある前記端末によるチャネル状態情報ＣＳＩ報告時の物理上り共有チャネルＰＵＳＣＨを介して報告される半永続的又は非周期的なチャネル状態情報ＣＳＩ報告の禁止を指示する、ネットワーク機器。